(57)【要約】【課題】動画撮影中に静止画撮影が行われた動画の再生において、観察者の感じる違和感を低減する。【解決手段】放射線撮影装置は、動画撮影の実行中に、当該動画撮影の撮影レートに応じたフレーム期間のｎ倍の期間だけ動画撮影を中断し、その中断期間中に静止画撮影を行う。動画撮影により得られた動画像と静止画撮影により得られた静止画像はメモリ等に保持される。動画像の再生において、静止画像は動画像のフレーム画像として用いるべく処理され、処理された静止画像を、動画像中の中断期間に対応するｎ枚の動画フレームとして用いることにより、処理された静止画像が動画像に統合される。こうして統合された動画像が再生表示される。【選択図】  図６
2008099824.tif 000002
【特許請求の範囲】
【請求項１】
放射線撮影装置により動画撮影を行う動画撮影制御手段と、
前記動画撮影の実行中に、前記動画撮影の撮影レートに応じたフレーム期間のｎ倍の期間だけ前記動画撮影を中断し、その中断期間中に前記放射線撮影装置による静止画撮影を行う静止画撮影制御手段と、
前記動画撮影制御手段で得られた動画像と前記静止画撮影制御手段で得られた静止画像を保持する保持手段と、
前記静止画像を前記動画像のフレーム画像として用いるべく処理する処理手段と、
前記処理手段で得られた静止画像を、前記動画像中の前記中断期間に対応するｎ枚の動画フレームとして用いることにより、前記処理された静止画像を前記動画像に統合する統合手段と、
前記統合手段で統合された前記動画像を再生表示する動画表示手段とを備えることを特徴とする放射線画像処理装置。
【請求項２】
前記処理手段は、前記静止画像の一部を切り出すことにより前記動画像のフレーム画像のサイズを有する静止画像を生成することを特徴とする請求項１に記載の放射線画像処理装置。
【請求項３】
前記処理手段は、前記静止画像の中央部分を切り出すことを特徴とする請求項２に記載の放射線画像処理装置。
【請求項４】
前記処理手段は、前記静止画像の解像度を下げることにより前記動画像のフレーム画像のサイズを有する静止画像を生成することを特徴とする請求項１に記載の放射線画像処理装置。
【請求項５】
前記処理手段は、前記動画像のコントラストに合わせるべく静止画像のコントラストを調整する手段を有することを特徴とする請求項１乃至４のいずれか１項に記載の放射線画像処理装置。
【請求項６】
前記処理手段は、前記動画像と同等のノイズを静止画像に付与する手段を有することを特徴とする請求項１乃至５のいずれか１項に記載の放射線画像処理装置。
【請求項７】
前記統合手段は、前記動画撮影により得られた動画像のフレーム画像と、前記静止画像から派生したフレーム画像とを区別するためのマーク表示をフレーム画像に付与することを特徴とする請求項１乃至６のいずれか１項に記載の放射線画像処理装置。
【請求項８】
前記静止画像を表示するとともに、当該静止画像の前後に撮影された前記動画像のフレーム画像を表示する静止画像表示手段を更に備えることを特徴とする請求項１乃至７のいずれか１項に記載の放射線画像処理装置。
【請求項９】
放射線撮影装置により動画撮影を行う動画撮影制御工程と、
前記動画撮影の実行中に、前記動画撮影の撮影レートに応じたフレーム期間のｎ倍の期間だけ前記動画撮影を中断し、その中断期間中に前記放射線撮影装置による静止画撮影を行う静止画撮影制御工程と、
前記動画撮影制御工程で得られた動画像と前記静止画撮影制御工程で得られた静止画像を保持する保持工程と、
前記静止画像を前記動画像のフレーム画像として用いるべく処理する処理工程と、
前記処理工程で得られた静止画像を、前記動画像中の前記中断期間に対応するｎ枚の動画フレームとして用いることにより、前記処理された静止画像を前記動画像に統合する統合工程と、
前記統合工程で統合された前記動画像を再生表示する動画表示工程とを備えることを特徴とする放射線画像処理方法。
【請求項１０】
前記処理工程は、前記静止画像の一部を切り出すことにより前記動画像のフレーム画像のサイズを有する静止画像を生成することを特徴とする請求項９に記載の放射線画像処理方法。
【請求項１１】
前記処理工程は、前記静止画像の中央部分を切り出すことを特徴とする請求項１０に記載の放射線画像処理方法。
【請求項１２】
前記処理工程は、前記静止画像の解像度を下げることにより前記動画像のフレーム画像のサイズを有する静止画像を生成することを特徴とする請求項９に記載の放射線画像処理方法。
【請求項１３】
前記処理工程は、前記動画像のコントラストに合わせるべく静止画像のコントラストを調整する工程を有することを特徴とする請求項９乃至１２のいずれか１項に記載の放射線画像処理方法。
【請求項１４】
前記処理工程は、前記動画像と同等のノイズを静止画像に付与する工程を有することを特徴とする請求項９乃至１３のいずれか１項に記載の放射線画像処理方法。
【請求項１５】
前記統合工程は、前記動画撮影により得られた動画像のフレーム画像と、前記静止画像から派生したフレーム画像とを区別するためのマーク表示をフレーム画像に付与することを特徴とする請求項９乃至１４のいずれか１項に記載の放射線画像処理方法。
【請求項１６】
前記静止画像を表示するとともに、当該静止画像の前後に撮影された前記動画像のフレーム画像を表示する静止画像表示工程を更に備えることを特徴とする請求項９乃至１５のいずれか１項に記載の放射線画像処理方法。
【請求項１７】
請求項９乃至１７のいずれかに記載の方法をコンピュータに実行させるためのコンピュータプログラム。
【請求項１８】
請求項９乃至１７のいずれかに記載の方法をコンピュータに実行させるためのコンピュータプログラムを格納したコンピュータ読み取り可能な記録媒体。
【発明の詳細な説明】
【技術分野】
【０００１】
本発明は、放射線画像処理装置及び放射線画像処理方法、コンピュータプログラム、及びコンピュータ読み取り可能な記録媒体に関する。特に、静止画撮影と動画撮影を併用可能な放射線画像装置における画像処理を行うために用いて好適なものである。
【背景技術】
【０００２】
従来、放射線動画撮影は、イメージインテンシファイア（以下、Ｉ．Ｉ．）で増幅された画像をＣＣＤで読み込むビデオ撮影が主流である。このようなＩ．Ｉ．を利用した動画撮影中に静止画を撮影する場合には、撮影された動画を加工して静止画像として使用するか、Ｉ．Ｉ．から別の撮影装置に切替えて静止画撮影を行うかのいずれかであった。ここで、静止画撮影に利用可能な別の装置としては、Ｆ／Ｓ（フィルム／スクリーン）系やＣＲ（コンピューティッドラジオグラフィ）やＦＰＤ（フラットパネルディテクタ）等が挙げられる。
【０００３】
一方、近年、ＴＦＴを用いた液晶パネルの製造技術の発展や、半導体変換素子を有するエリアセンサの各分野への利用（例えば医療用Ｘ線撮像装置）の進展により、医療用放射線撮像装置においても大画面化、かつデジタル化が達成されている。医療用のデジタル放射線撮像装置は、微小信号をデジタル変換して画像出力するという特徴を有しており、放射線画像を瞬時に読み取り、瞬時にディスプレイ上に表示できるものである。このようなデジタル放射線撮像装置は、感度（Ｓ／Ｎ）が固定されているため、静止画撮影用として用いられるのが普通である。これに対し、特許文献１では、デジタル放射線撮像装置の感度切り替えを自在に行えるようにすることで、静止画撮影及び動画撮影の双方を実行することが可能なデジタル放射線撮像装置が提案されている。
【特許文献１】特開２００５−１７６２９７号公報
【発明の開示】
【発明が解決しようとする課題】
【０００４】
特許文献１の技術を用いると、動画と静止画を一つの撮像センサで撮影することが可能になるため、静止画撮影のために中断される動画撮影の情報欠落は格段に少なくなる。しかしながら、動画撮影の情報欠落は避けられず、そのような動画を再生した場合には、観察者は強い違和感を覚えてしまうという課題がある。
【０００５】
本発明は上記の課題に鑑みてなされたものであり、動画撮影中に静止画撮影が行われた動画の再生において、観察者の感じる違和感を低減することを目的とする。
【課題を解決するための手段】
【０００６】
上記の目的を達成するための本発明による放射線画像撮影装置は以下の構成を備える。即ち、
放射線撮影装置により動画撮影を行う動画撮影制御手段と、
前記動画撮影の実行中に、前記動画撮影の撮影レートに応じたフレーム期間のｎ倍の期間だけ前記動画撮影を中断し、その中断期間中に前記放射線撮影装置による静止画撮影を行う静止画撮影制御手段と、
前記動画撮影制御手段で得られた動画像と前記静止画撮影制御手段で得られた静止画像を保持する保持手段と、
前記静止画像を前記動画像のフレーム画像として用いるべく処理する処理手段と、
前記処理手段で得られた静止画像を、前記動画像中の前記中断期間に対応するｎ枚の動画フレームとして用いることにより、前記処理された静止画像を前記動画像に統合する統合手段と、
前記統合手段で統合された前記動画像を再生表示する動画表示手段とを備える。
【０００７】
上記の目的を達成するための本発明による放射線画像撮影方法は、
放射線撮影装置により動画撮影を行う動画撮影制御工程と、
前記動画撮影の実行中に、前記動画撮影の撮影レートに応じたフレーム期間のｎ倍の期間だけ前記動画撮影を中断し、その中断期間中に前記放射線撮影装置による静止画撮影を行う静止画撮影制御工程と、
前記動画撮影制御工程で得られた動画像と前記静止画撮影制御工程で得られた静止画像を保持する保持工程と、
前記静止画像を前記動画像のフレーム画像として用いるべく処理する処理工程と、
前記処理工程で得られた静止画像を、前記動画像中の前記中断期間に対応するｎ枚の動画フレームとして用いることにより、前記処理された静止画像を前記動画像に統合する統合工程と、
前記統合工程で統合された前記動画像を再生表示する動画表示工程とを備える。
【発明の効果】
【０００８】
本発明によれば、動画撮影中に静止画撮影が行われた動画の再生において、観察者の感じる違和感を低減することができる。
【発明を実施するための最良の形態】
【０００９】
以下、本発明の好適な実施形態について、添付の図面を参照しながら詳細に説明する。
【００１０】
なお、以下では、上部消化器造影撮影を例にして説明するが、例えば血管造影撮影など、他の動画／静止画が併用される撮影手技に適用できることは言うまでもない。
【００１１】
［第１実施形態］
−放射線画像処理装置の構成−
図１は、第１実施形態による放射線画像処理装置の機能構成の一例を示すブロック図である。図１において、放射線発生部１０１は、Ｘ線、α線又はβ線等の放射線を発生する。発生放射線制御部１０２は、放射線発生部１０１から発生させる放射線の強度等を制御するために、放射線発生部１０１に印加する管電流や管電圧等を制御する。撮像部１０３は、放射線発生部１０１から発生された放射線を検出し、放射線画像信号を出力する。撮像部１０３は、放射線画像を静止画としても動画としても撮像可能である。即ち、撮像部１０３を用いて動画撮影及び静止画撮影の両方を行うことができる。撮像制御部１０４は、撮像部１０３による動画撮影と静止画撮影の切替え、動画撮影時の撮像レート、動画撮影や静止画撮影における解像度、感度等を制御する。
【００１２】
撮影指示部１０５は、キーボード、マウス、タッチパネル、曝射ボタン等を具備し、発生放射線制御部１０２及び撮像制御部１０４に対するユーザからの操作指示を入力する。画像登録部１０６は、撮像部１０３で撮影された静止画像および動画像を登録する。画像保持部１０７は、画像登録部１０６で登録された画像を保持する。再生指示部１０８は、キーボード、マウス、タッチパネル等を有し、ユーザからの、画像保持部１０７に保持された動画像の再生指示を入力する。撮影指示部１０５の一部を再生指示部の一部としてもよい。静止画像処理部１０９は、再生指示部１０８で指示された動画が動画撮影中の静止画撮影による静止画像を含む場合に、その静止画像を当該動画像のフレーム画像として用いるべく処理する。画像統合部１１０は、再生が指示された動画像の、動画撮影中の静止画撮影によって欠落したフレーム部分に静止画像処理部１０９で処理された静止画像を埋め込むことにより、動画像と静止画像を統合する。画像表示部１１１は、撮影中に撮像部１０３で撮影された画像を表示する。また、画像表示部１１１は、再生時に画像統合部１１０で統合された動画像を表示する。再生制御部１１２は、画像表示部１１１への画像の再生表示を制御する。システムバス１１３は、上述した１０１〜１１２の各部を相互に通信可能に接続する。
【００１３】
尚、上記放射線画像処理装置をコンピュータで構成した場合に、上記発生放射線制御部１０２、撮像制御部１０４、画像登録部１０６、静止画像処理部１０９、画像統合部１１０、再生制御部１１２の一部もしくは全ては、コンピュータ内のＣＰＵがメモリに格納された所定の制御プログラムを実行することにより実現されてもよい。
【００１４】
次に、図２に示すフローチャートを用いて、第１実施形態における放射線画像処理装置の撮影処理の動作について具体的に説明する。
【００１５】
被写体（患者等）を、放射線発生部１０１と撮像部１０３との間に位置させる。それから、撮影指示部１０５より撮影開始が指示されると、図２に示される処理が開始される。まず、ステップＳ２０１において、発生放射線制御部１０２および撮像制御部１０４は、放射線発生部１０１及び撮像部１０３に動画撮影のための駆動条件を設定する。ステップＳ２０２において、撮像制御部１０４は動画像の撮影レート（本実施形態では３０フレーム／秒とする）に従って撮像が行われるように撮像タイミングを制御する。尚、ステップＳ２０２において、後述のステップＳ２０５でタイマがＯＮされていた場合には、撮像制御部１０４は当該タイマを参照した同期処理を行う。この同期処理については、ステップＳ２０５〜Ｓ２０７により静止画撮影処理を説明するところで詳しく説明する。次に、ステップＳ２０３において、撮像制御部１０４は放射線発生部１０１及び撮像部１０３を駆動して撮像（動画撮影における１フレーム分の撮影）を実行する。画像登録部１０６は、撮像部１０３により撮像した動画像を画像保持部１０７に保持する。また、撮像制御部１０４は、その動画像を画像表示部１１１に表示する。尚、ステップＳ２０３において撮像を終えたならば直ちに（画像の保持や表示処理の完了を待たずに）処理をステップＳ２０４へ進め、次のフレームもしくは静止画撮影のための動作を開始するようにしても良い。
【００１６】
ステップＳ２０４において、撮影指示部１０５から静止画撮影指示が入力されたか否かを判定する。即ち、動画撮影中の静止画撮影の開始が指示されたか否かが判定される。静止画撮影の指示が入力されていなければ、ステップＳ２０８に進み、撮影指示部１０５から撮影終了の指示が入力されたか否かを判定する。撮影終了の指示が入力された場合には、当該撮影処理を終了する。撮影終了が指示されていなければ、処理をステップＳ２０１に戻す。こうして、撮影終了が指示されるまで動画撮影が継続される。
【００１７】
上記動画撮影中に撮影指示部１０５から静止画撮影が指示されると、処理はステップＳ２０４からステップＳ２０５へ進む。
【００１８】
ステップＳ２０５において、撮像制御部１０４は、装置内に内蔵された不図示の、静止画撮影期間が設定されたタイマをＯＮにする。静止画撮影期間として、撮影レートにより決まる１フレーム期間の整数倍が設定される。例えば、本実施形態では、動画撮影の撮影レートが３０フレーム／秒（３０ｆｐｓ）に設定されており、動画撮影の１フレーム期間は１／３０秒である。そして静止画撮影期間にはその３倍の１／１０秒が設定されている。次に、ステップＳ２０６において、発生放射線制御部１０２および撮像制御部１０４は、動画撮影を中断し、放射線発生部１０１及び撮像部１０３に静止画画撮影の駆動条件を設定する。そして、ステップＳ２０７において、撮像制御部１０４は放射線発生部１０１及び撮像部１０３を駆動して撮像（静止画撮影）を実行する。そして、画像登録部１０６は、撮像部１０３により撮像した静止画像を画像保持部１０７に保持する。また、撮像制御部１０４は、その静止画像を画像表示部１１１に表示する。そして、処理をステップＳ２０１に戻す。尚、ステップＳ２０７において撮像を終えたならば直ちに（画像の保持や表示処理の完了を待たずに）処理をステップＳ２０１へ戻すようにしても良い。
【００１９】
ステップＳ２０７を経て処理がステップＳ２０２に進んだ場合は、ステップＳ２０２において、撮像制御部１０４は、静止画撮影により中断していた動画撮影を、動画のフレーム期間の整数倍の時点で動画撮影を再開する同期処理を行う。本実施形態では、１／１０秒が設定されたタイマのタイムアップを検出して、動画撮影を再開することにより、上記同期処理を実現する。
【００２０】
図４にマーゲンファントムを撮影した上部消化器造影撮影の画像例を示す。４１は静止画像を、４２は動画像の１フレームの画像を表す。静止画撮影では、１枚の画像で診断が可能なように、十分な放射線の線量（例えば３００ｍＡｓ）を用い、高い解像度かつ高い階調で撮影を行う。例えば、撮像部１０３が１６０μｍピッチの解像度、１９インチ（２６８８pixel）四方の撮像エリアを有するとする。この撮像部１０３を用いて１２ビット階調で撮影すると、画像サイズは非圧縮で約１５Ｍバイト、可逆圧縮を行って約７．５Ｍバイト、非可逆圧縮を行って約１．５Ｍバイトのサイズとなる。
【００２１】
一方、動画撮影では、被験者が継続して浴びる放射線量軽減のため、静止画撮影より少ない放射線の線量（例えば３ｍＡｓ）で撮影を行う。また、静止画撮影と同じ解像度かつ階調で、３０フレーム毎秒で撮影すると、非可逆圧縮を行っても、約３６０Ｍビット毎秒となり、ネットワーク経由でストリーム転送を行うのに支障をきたす情報量となる。したがって、動画撮影では、例えば動画像のフレーム４２のように、画像のノイズを軽減するための四画素加算を行い（１３４４pixel四方となる）、階調を８ビットに落として非可逆圧縮する。このような処理により、動画撮影におけるストリーム量は、４５Ｍビット毎秒程度となる。
【００２２】
以上の撮影処理により、動画撮影と静止画撮影の切替えを行って得られる動画像と静止画像を含む撮影画像データの模式図を図５に示す。動画像は３０フレーム毎秒（ｆｐｓ）で撮影が行われるが、静止画撮影およびその切替えの処理（ステップＳ２０５〜２０７およびＳ２０１〜Ｓ２０２）の間、動画情報が欠落することになる。本実施形態では、フレーム期間の３倍が静止画撮影期間に割り当てられ、その間の動画撮影が中断されるので、３フレーム分の動画情報が欠落する。
【００２３】
次に、図３に示すフローチャートを用いて、本実施形態における放射線画像処理装置の撮影処理の画像再生動作について具体的に説明する。
再生指示部１０８から再生の開始が指示されると、図３に示す処理が開始される。
【００２４】
まず、ステップＳ３０１において、再生制御部１１２は、動画保持部１０７に保持された撮影画像データの中から、再生すべき撮影画像データをユーザに選択させるインターフェースを提供する。例えば、画像表示部１１１に画像保持部１０７に保持されている撮影画像データのリストを提示し、ユーザに再生指示部１０８を用いて所望の撮影画像データを選択させる。動画像と静止画像を含む撮影画像データ（動画撮影中に静止画撮影が行われた撮影画像データ）が選択されると、ステップＳ３０２において、静止画像処理部１０９は、選択された撮影画像データに含まれる静止画像に対して後述する静止画像処理を行う。
【００２５】
ステップＳ３０３において、画像統合部１１０は、再生指示部１０９で指定された撮影画像データが含む動画像に、ステップＳ３０２の静止画像処理部１０９により処理された静止画像を埋め込む画像統合処理（後述）を行う。ステップＳ３０４において、再生制御部１１２は、画像統合部１１０において統合された動画像を画像表示部１１１に再生表示する。
【００２６】
次に、ステップＳ３０２における静止画像処理およびステップＳ３０３における画像統合処理について説明する。
【００２７】
図６は、第１実施形態における静止画像処理および画像統合処理を説明するための模式図である。静止画像を動画像に埋め込んで１つの動画像フレームにするためには、静止画像のサイズを１フレームの画像サイズと一致させる必要がある。静止画像においては、注目領域（ＲＯＩ）が画像中心付近に撮影されていることが多い。そこで、本実施形態の静止画像処理においては、動画撮影の画像サイズ（例えば、１３４４pixel四方）と同じサイズの領域を静止画像の中央部分から切り出す処理を行う。以下、こうして切り出された画像を切り出し画像という。そして、ステップＳ３０４の画像統合処理において、静止画撮影時間に対応するフレーム分の切り出し画像（本実施形態では撮影レートが１／３０秒、静止画撮影時間が０．１秒なので、３枚の切り出し画像）を動画像に埋め込む処理を行う。
【００２８】
尚、静止画像処理における画像の切り出し位置は上記例、即ち画像の中央部、に限られるものではない。また、再生指示部１０８を介して画像の切り出し位置をユーザが指定可能に構成しても良い。
【００２９】
以上のように、上記実施形態によれば、動画像と静止画像の両方の撮像が可能な放射線画像処理装置において、動画像の欠落部分に静止画像を適切に埋め込むことができる。即ち、静止画像のサイズを動画フレームの画像サイズに整合させ、且つ、欠落したフレーム分だけ静止画を埋め込むので、動画撮影中に静止画撮影が行われた動画の再生においてもユーザに与える違和感を低減することができる。
【００３０】
［第２実施形態］
第１実施形態の静止画像処理方法においては、動画撮影の画像サイズと同じサイズの領域を静止画像の中央部分から切り出したが、これに限られるものではない。例えば、静止画像の画素を間引く、もしくは、近傍の画素加算を行うことにより、静止画像を動画撮影のフレームのサイズに縮小しても構わない。図７にその例の模式図を示す。図７においては、２６８８pixel四方の静止画像の２×２の領域の四画素加算を行って、１３４４pixel四方の画像に縮小している。
【００３１】
［第３実施形態］
第１及び第２の実施形態においては、静止画像のサイズを縮小して動画像に埋め込み、動画像としている。一方、単一の撮像部１０３を動画撮影と静止画撮影に併用しているものの、動画撮影時と静止画撮影時では放射線の線量や撮像センサの感度を変えて撮影が行われる。そのため、動画の再生中、欠落部分に静止画像をそのまま埋め込むと、動画像として撮影された部分と静止画像を埋め込んだ部分のコントラストが異なり、診断しづらかったり、診断する人の目が疲れたりするという課題が生じる。そこで、第３実施形態では、埋め込まれる静止画像に対して、動画像にあわせてコントラストを下げる及び／又はノイズを付加したりする等の処理を施す。これにより、動画像と静止画像を観察者が違和感を覚えないようにつなぎ合わせることができ、診断し易く、目も疲れにくい放射線動画像を提供できる。尚、コントラストの調整やノイズの付加といった画像処理は周知の技術を適用できる。
【００３２】
図８に第３実施形態による統合処理後の動画像を説明するための模式図を示す。動画像８１は注目領域を切り出した画像にコントラストを合わせた例である。また、動画像８２は画素加算により縮小した画像にノイズを付加した例である。もちろん、注目領域を切り出した画像にノイズを付加しても良いし、縮小した画像のコントラストを調整するようにしても良い。また、ノイズの付加とコントラストの調整を併用しても良い。また、ノイズ付加やコントラスト調整以外の処理を加えても良い。
【００３３】
以上のように、第３実施形態によれば、解像度やコントラストが異なる動画と静止画を違和感無くつなぎ合わせ、診断し易く、目も疲れにくい放射線画像の再生画像を得ることができる。
【００３４】
［第４実施形態］
第１乃至第３の実施形態による動画再生においては、動画像として撮影された部分と、静止画像を埋め込んだ部分との区別がつきにくいことがある。そこで、第４実施形態では、静止画像を埋め込んだ部分のみ、もしくは、動画像として撮影された部分と静止画像を埋め込んだ部分の両方に、静止画像の埋め込み部分と動画撮影の動画フレームとを識別可能にするマークを付与する。
【００３５】
図９は第４実施形態による動画像表示を説明する模式図である。動画像９１は、埋め込まれた静止画像（この例では、注目領域を切り出して得られた静止画像）に、静止画像を埋め込んだことを示すポーズマークを付与した例である。また、動画像９２は、埋め込まれた静止画像（この例では、画素加算により縮小して得られた画像にノイズを付与したもの）に静止画像を埋め込んだことを示すポーズマークを付与し、動画として撮影された部分に再生マークを付与した例である。
以上のように第４実施形態によれば、動画再生表示の観察者は、表示中の画像が動画撮影によるフレームか静止画撮影で得られた静止画像から派生されたフレームかを判断することができる。
【００３６】
［第５の実施形態］
上記第１乃至第４の実施形態においては、静止画像を動画像に埋め込んで表示する場合を説明した。第５の実施形態では、動画撮影中の静止画撮影で取得された静止画像を、静止画像として画像表示部１１１に表示する場合を説明する。例えば、撮影画像データが選択され、動画再生が指示されると上述した動画再生処理が実行される。一方、撮影画像データが選択され、静止画再生が指示された場合は、当該撮影画像データに含まれている静止画像が取得され、これが再生表示される。このとき、画像統合部１１０は、取得された画像登録部１０６に保持されている当該静止画像に、その前後に撮影された動画像（フレーム画像）を関連付ける。そして、再生制御部１１２は、当該静止画像と、その前後に撮影された動画像のフレーム画像を画像表示部１１１に表示する。尚、静止画像に関連付けて表示されるフレーム画像の数は、当該静止画像の前後のそれぞれに１フレームずつを表示しても良いし、複数フレームを表示しても良い。また、当該静止画像の前後のそれぞれに表示するフレーム数が異なっていても良い。
【００３７】
［他の実施形態］
以上、説明した放射線画像処理装置の制御の一部もしくは全ては、上記処理を実行させるための制御プログラムを汎用コンピュータ等の情報処理装置に提供し、これを実行させることでも実現できる。
【００３８】
従って、本発明は、ソフトウェアのプログラムをシステム或いは装置に直接或いは遠隔から供給し、そのシステム或いは装置のコンピュータが該供給されたプログラムコードを読み出して実行することによって前述した実施形態の機能が達成される場合を含む。この場合、供給されるプログラムは実施形態で図に示したフローチャートに対応したプログラムである。
【００３９】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００４０】
その場合、プログラムの機能を有していれば、オブジェクトコード、インタプリタにより実行されるプログラム、ＯＳに供給するスクリプトデータ等の形態であっても良い。
【００４１】
プログラムを供給するための記録媒体としては以下が挙げられる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などである。
【００４２】
その他、プログラムの供給方法としては、クライアントコンピュータのブラウザを用いてインターネットのホームページに接続し、該ホームページから本発明のコンピュータプログラムをハードディスク等の記録媒体にダウンロードすることが挙げられる。この場合、ダウンロードされるプログラムは、圧縮され自動インストール機能を含むファイルであってもよい。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００４３】
また、本発明のプログラムを暗号化してＣＤ−ＲＯＭ等の記憶媒体に格納してユーザに配布するという形態をとることもできる。この場合、所定の条件をクリアしたユーザに、インターネットを介してホームページから暗号を解く鍵情報をダウンロードさせ、その鍵情報を使用して暗号化されたプログラムを実行し、プログラムをコンピュータにインストールさせるようにもできる。
【００４４】
また、コンピュータが、読み出したプログラムを実行することによって、前述した実施形態の機能が実現される他、そのプログラムの指示に基づき、コンピュータ上で稼動しているＯＳなどとの協働で実施形態の機能が実現されてもよい。この場合、ＯＳなどが、実際の処理の一部または全部を行い、その処理によって前述した実施形態の機能が実現される。
【００４５】
さらに、記録媒体から読み出されたプログラムが、コンピュータに挿入された機能拡張ボードやコンピュータに接続された機能拡張ユニットに備わるメモリに書き込まれて前述の実施形態の機能の一部或いは全てが実現されてもよい。この場合、機能拡張ボードや機能拡張ユニットにプログラムが書き込まれた後、そのプログラムの指示に基づき、その機能拡張ボードや機能拡張ユニットに備わるＣＰＵなどが実際の処理の一部または全部を行う。
【００４６】
以上説明したように、上記実施形態によれば、動画と静止画の両方を撮像可能な放射線画像撮影装置において、動画像の撮影中に撮像レートの整数倍の期間で静止画像の撮影を行う。そして、動画情報の欠落部分に、上記静止画像を処理して得られた静止画像を埋め込むことで、動画撮影中に静止画撮影が行われた場合にも、診断しやすく、診断する人の目の疲れを軽減する動画再生を実現できる。また、動画像の再生および静止画像の埋め込みの区別を表示するマークを画像に付与することで、動画中に静止画が埋め込まれていることを解り易く表示することができる。
【図面の簡単な説明】
【００４７】
【図１】実施形態による放射線画像処理装置の機能構成の一例を示すブロック図である。
【図２】実施形態による放射線画像処理装置の撮影処理の動作を説明するフローチャートである。
【図３】実施形態による放射線画像処理装置の画像再生処理の動作を説明するフローチャートである。
【図４】実施形態による、マーゲンファントムを撮影した上部消化器造影撮影の静止画像および動画像の１フレームの画像の例を示す図である。
【図５】実施形態による、動画撮影と静止画撮影の切替えを行って得られる動画像と静止画像の模式図である。
【図６】第１実施形態による、静止画像処理及び画像統合処理を説明する模式図である。
【図７】第２実施形態による、静止画像処理及び画像統合処理を説明する模式図である。
【図８】第３実施形態において再生される動画像の例を示す模式図である。
【図９】第４実施形態において再生される動画像の例を示す模式図である。
【図１】
2008099824.tif 000003
【図２】
2008099824.tif 000004
【図３】
2008099824.tif 000005
【図４】
2008099824.tif 000006
【図５】
2008099824.tif 000007
【図６】
2008099824.tif 000008
【図７】
2008099824.tif 000009
【図８】
2008099824.tif 000010
【図９】
2008099824.tif 000011